【手続補正書】
【提出日】平成17年1月26日(2005.1.26)
【手続補正１】
【補正対象書類名】明細書
【補正対象項目名】特許請求の範囲
【補正方法】変更
【補正の内容】
【特許請求の範囲】
【請求項１】
互いに直交する複数本のキャリア（搬送波）で情報符号を伝送する直交周波数分割多重変調方式伝送信号であるＯＦＤＭ信号を受信し後段に接続されるＯＦＤＭ受信装置に向けて出力するためのダイバーシティ回路を有するダイバーシティ・アダプタであって、
該ダイバーシティ回路が、
アンテナで受信した信号である複数のアンテナ信号を入力する複数のアンテナ信号入力端子と、
該複数のアンテナ信号入力端子から入力されたアンテナ信号の内の少なくとも２以上のアンテナ信号に含まれるＯＦＤＭ信号に共通で且つシンボル間干渉雑音レベルが最小になるＦＦＴへの信号取り込み期間であるＦＦＴ共通窓期間を算出し、算出した該ＦＦＴ共通窓期間を表すＦＦＴ共通窓期間信号を出力するＦＦＴ共通窓期間算出回路と、
該ＦＦＴ共通窓期間算出回路から出力されるＦＦＴ共通窓期間信号を入力し、該ＦＦＴ共通窓期間を除く期間内で前記複数のアンテナ信号を切替えるためのアンテナ信号切替え制御信号あるいは更に前記複数のアンテナ信号を切替える時刻のＯＦＤＭ信号のシンボル位置を表すアンテナ信号切替えシンボル信号を算出して出力するアンテナ信号切替え制御回路と、
該アンテナ信号切替え制御信号あるいは更に該アンテナ信号切替えシンボル信号により、入力される前記複数のアンテナ信号を切替え選択アンテナ信号を出力するアンテナ信号切替え回路と、
該選択アンテナ信号を出力する出力端子と、前記ＦＦＴ共通窓期間信号を出力する出力端子、あるいは更に前記アンテナ信号切替えシンボル信号を出力する出力端子とを備えたダイバーシティ回路であることを特徴とするダイバーシティ・アダプタ。
【請求項２】
互いに直交する複数本のキャリア（搬送波）で情報符号を伝送する直交周波数分割多重変調方式伝送信号であるＯＦＤＭ信号を受信するダイバーシティ
回路を有するダイバーシティ受信装置であって、
該ダイバーシティ回路が、
アンテナで受信した信号である複数のアンテナ信号を入力する複数のアンテナ信号入力端子と、
該複数のアンテナ信号入力端子から入力されたアンテナ信号の内の少なくとも２以上のアンテナ信号に含まれるＯＦＤＭ信号に共通で且つシンボル間干渉雑音レベルが最小になるＦＦＴへの信号取り込み期間であるＦＦＴ共通窓期間を算出し、算出した該ＦＦＴ共通窓期間を表すＦＦＴ共通窓期間信号を出力するＦＦＴ共通窓期間算出回路と、
該ＦＦＴ共通窓期間算出回路から出力されるＦＦＴ共通窓期間信号を入力し、該ＦＦＴ共通窓期間を除く期間内で前記複数のアンテナ信号を切替えるためのアンテナ信号切替え制御信号あるいは更に前記複数のアンテナ信号を切替える時刻のＯＦＤＭ信号のシンボル位置を表すアンテナ信号切替えシンボル信号を算出して出力するアンテナ信号切替え制御回路と、
該アンテナ信号切替え制御信号あるいは更に該アンテナ信号切替えシンボル信号により、入力される前記複数のアンテナ信号を切替え選択アンテナ信号を出力するアンテナ信号切替え回路とを備えたダイバーシティ回路であって、
且つ前記該選択アンテナ信号を、前記ＦＦＴ共通窓期間信号あるいは更に前記アンテナ信号切替えシンボル信号を用いて復調処理することを特徴とするダイバーシティ受信装置。
【請求項３】
互いに直交する複数本のキャリア（搬送波）で情報符号を伝送する直交周波数分割多重変調方式伝送信号であるＯＦＤＭ信号を受信し後段に接続されるＯＦＤＭ受信装置に向けて出力するためのダイバーシティ回路を有するダイバーシティ・アダプタであって、
該ダイバーシティ回路が、
アンテナで受信した信号である複数のアンテナ信号を入力する複数のアンテナ信号入力端子と、
入力された該複数のアンテナ信号を比較し、各アンテナ信号に含まれる伝送信号成分のレベルあるいはそのＣ／Ｎ値が最も高いアンテナ信号を選択する、あるいは各アンテナ信号に含まれる主波のレベルあるいはそのＣ／Ｎ値が最も高いアンテナ信号を選択する、あるいは各アンテナ信号に含まれる主波以外の伝送信号成分のレベルが主波のレベルに対して最も小さいアンテナ信号を選択し、選択したアンテナ信号の番号を選択アンテナ信号番号として出力する回路部と、
前記複数のアンテナ信号と前記選択アンテナ信号番号を入力し、前記選択した番号のアンテナ信号に最適なＦＦＴへの信号取り込み期間であるＦＦＴ窓期間を算出し、算出したＦＦＴ窓期間を表す新ＦＦＴ窓期間信号と、既に選択されているアンテナ信号に対する最適なＦＦＴ窓期間を表す現ＦＦＴ窓期間信号を出力する新ＦＦＴ窓期間算出回路と、
前記現ＦＦＴ窓期間信号と前記新ＦＦＴ窓期間信号を入力し、前記新ＦＦＴ窓期間信号が指定する期間と前記現ＦＦＴ窓期間信号が指定する期間を除く期間内で、既に選択されているアンテナ信号と新たに選択されたアンテナ信号を切替えるためのアンテナ信号切替え制御信号と、該アンテナ信号の切替えと同時に前記現ＦＦＴ窓期間信号から前記新ＦＦＴ窓期間信号に切替えて得られる選択ＦＦＴ窓期間信号、あるいは更に該アンテナ信号を切替える時刻のＯＦＤＭ信号のシンボル位置を表すアンテナ信号切替えシンボル信号を算出して出力するアンテナ信号切替え制御回路と、
該アンテナ信号切替え制御信号と前記選択ＦＦＴ窓期間信号あるいは更に該アンテナ信号切替えシンボル信号により、入力される前記複数のアンテナ信号を切替え選択アンテナ信号を出力するアンテナ信号切替え回路と、
該選択アンテナ信号を出力する出力端子と、前記選択ＦＦＴ窓期間信号を出力する出力端子、あるいは更に前記アンテナ信号切替えシンボル信号を出力する出力端子とを備えたダイバーシティ回路であることを特徴とするダイバーシティ・アダプタ。
【請求項４】
互いに直交する複数本のキャリア（搬送波）で情報符号を伝送する直交周波数分割多重変調方式伝送信号であるＯＦＤＭ信号を受信するダイバーシティ回路を有するダイバーシティ受信装置であって、
該ダイバーシティ回路が、
アンテナで受信した信号である複数のアンテナ信号を入力する複数のアンテナ信号入力端子と、
入力された該複数のアンテナ信号を比較し、各アンテナ信号に含まれる伝送信号成分のレベルあるいはそのＣ／Ｎ値が最も高いアンテナ信号を選択する、あるいは各アンテナ信号に含まれる主波のレベルあるいはそのＣ／Ｎ値が最も高いアンテナ信号を選択する、あるいは各アンテナ信号に含まれる主波以外の伝送信号成分のレベルが主波のレベルに対して最も小さいアンテナ信号を選択し、選択したアンテナ信号の番号を選択アンテナ信号番号として出力する回路部と、
前記複数のアンテナ信号と前記選択アンテナ信号番号を入力し、前記選択した番号のアンテナ信号に最適なＦＦＴへの信号取り込み期間であるＦＦＴ窓期間を算出し、算出したＦＦＴ窓期間を表す新ＦＦＴ窓期間信号と、既に選択されているアンテナ信号に対する最適なＦＦＴ窓期間を表す現ＦＦＴ窓期間信号を出力する新ＦＦＴ窓期間算出回路と、
前記現ＦＦＴ窓期間信号と前記新ＦＦＴ窓期間信号を入力し、前記新ＦＦＴ窓期間信号が指定する期間と前記現ＦＦＴ窓期間信号が指定する期間を除く期間内で、既に選択されているアンテナ信号と新たに選択されたアンテナ信号を切替えるためのアンテナ信号切替え制御信号と、該アンテナ信号の切替えと同時に前記現ＦＦＴ窓期間信号から前記新ＦＦＴ窓期間信号に切替えて得られる選択ＦＦＴ窓期間信号、あるいは更に該アンテナ信号を切替える時刻のＯＦＤＭ信号のシンボル位置を表すアンテナ信号切替えシンボル信号を算出して出力するアンテナ信号切替え制御回路と、
該アンテナ信号切替え制御信号と前記選択ＦＦＴ窓期間信号あるいは更に該アンテナ信号切替えシンボル信号により、入力される前記複数のアンテナ信号を切替え選択アンテナ信号を出力するアンテナ信号切替え回路とを備えたダイバーシティ回路であって、
且つ前記該選択アンテナ信号を、前記ＦＦＴ共通窓期間信号あるいは更に前記アンテナ信号切替えシンボル信号を用いて復調処理することを特徴とするダイバーシティ受信装置。
【請求項５】
伝送信号を受信し後段に接続される受信装置に向けて出力するためのダイバーシティ回路を有するダイバーシティ・アダプタであって、
該ダイバーシティ回路が、
アンテナで受信した信号である複数のアンテナ信号を入力する複数のアンテナ信号入力端子と、
入力された該複数のアンテナ信号を比較し、各アンテナ信号に含まれる伝送信号成分のレベルあるいはそのＣ／Ｎ値が最も高いアンテナ信号を選択する、あるいは各アンテナ信号に含まれる主波のレベルあるいはそのＣ／Ｎ値が最も高いアンテナ信号を選択する、あるいは各アンテナ信号に含まれる主波以外の伝送信号成分のレベルが主波のレベルに対して最も小さいアンテナ信号を選択する選択手段と、該選択アンテナ信号を出力する出力端子とを備えたダイバーシティ回路であることを特徴とするダイバーシティ・アダプタ。